(57)【要約】  アクセス端末は諸アクセス・ポイント間の距離に基づいて探索ウィンドウの範囲を設定する。ここで、該諸アクセス・ポイントの内の第１アクセス・ポイントは、アクセス端末がそこからタイミングを入手するマクロ・アクセス・ポイントを含むことが出来る。該探索ウィンドウは該諸アクセスポイントの内の第２アクセス・ポイントからのパイロット信号をモニタするために使用されることが出来る。例えば、該第２アクセス・ポイントは、比較的小領域通信範囲を提供するフェムト・ノードを含むことが出来る。ある複数の態様では、該探索ウィンドウの範囲設定は該諸アクセス・ポイント間の距離に基づいて探索ウィンドウの中心を調整すること（例えば、進めること）を含むことが出来る。更に、該アクセス端末は、フェムト・ノードからのパイロット信号を探索している場合、マクロ・ノードからのパイロット信号を探索している場合と比べて、より小さな探索ウィンドウを利用することが出来る。
2011504681.tif 000002
【特許請求の範囲】
【請求項１】
通信方法であって、
第１アクセス・ポイントと第２アクセス・ポイントとの間の距離を決定すること、
該決定された距離に基づいて、探索ウィンドウの範囲を設定すること、及び
該範囲設定された探索ウィンドウに基づいて、該第１アクセス・ポイントからの少なくとも１つの信号を探索すること
を具備する方法。
【請求項２】
該探索ウィンドウの範囲設定は該探索ウィンドウの中心を特定することを含む、請求項１の方法。
【請求項３】
該探索ウィンドウの範囲設定は、該決定された距離に関連づけられる伝播遅延時間に従って、該探索ウィンドウの中心のタイミングを調整することを含む、請求項１の方法。
【請求項４】
該第２アクセス・ポイントからタイミングを入手することを更に含み、該探索ウィンドウのタイミングは該入手されたタイミングに基づく、請求項１の方法。
【請求項５】
該距離の決定は
該第１アクセス・ポイントの所在地の第１インジケーション（indication）を受信すること、
該第２アクセス・ポイントの所在地の第２インジケーションを受信すること、及び
該第１インジケーションと該第２インジケーションに基づいて該距離を算出すること
を具備する、請求項１の方法。
【請求項６】
該距離の決定は該距離のインジケーションを受信することを含む、請求項１の方法。
【請求項７】
該少なくとも１つの信号は少なくとも１つのパイロット信号を含む、請求項１の方法。
【請求項８】
請求項１の方法であって、
アクセス端末の所在地を決定すること、及び
該決定された所在地に基づいて、該アクセス端末において該少なくとも１つの信号の探索を開始するかどうかを決定すること
を更に具備する方法。
【請求項９】
請求項１の方法であって、
第３アクセス・ポイントと該第２アクセス・ポイントとの間の別の距離を決定すること、
該決定された別の距離に基づいて、該探索ウィンドウの範囲を設定すること、及び
該範囲設定された探索ウィンドウに基づいて、該第３アクセス・ポイントからの少なくとも１つの他の信号を探索すること
を具備する方法。
【請求項１０】
該第１アクセス・ポイントはフェムト・ノード又はピコ・ノードを含む、及び
該第２アクセス・ポイントはマクロ・アクセス・ポイントを含む、
請求項１の方法。
【請求項１１】
通信のための装置であって、
第１アクセス・ポイントと第２アクセス・ポイントとの間の距離を決定するために構成された距離決定器、
該決定された距離に基づいて、探索ウィンドウの範囲を設定するために構成された探索ウィンドウ範囲設定器、及び
該範囲設定された探索ウィンドウに基づいて、該第１アクセス・ポイントからの少なくとも１つの信号を探索するために構成された受信機
を具備する装置。
【請求項１２】
該探索ウィンドウの範囲設定は該探索ウィンドウの中心を特定することを含む、請求項１１の装置。
【請求項１３】
該探索ウィンドウの範囲設定は、該決定された距離に関連づけられる伝播遅延時間に従って、該探索ウィンドウの中心のタイミングを調整することを含む、請求項１１の装置。
【請求項１４】
該第２アクセス・ポイントからタイミングを入手するために構成されたタイミング制御器を更に含み、該探索ウィンドウのタイミングは該入手されたタイミングに基づく、請求項１１の装置。
【請求項１５】
該距離の決定は
該第１アクセス・ポイントの所在地の第１インジケーションを受信すること、
該第２アクセス・ポイントの所在地の第２インジケーションを受信すること、及び
該第１インジケーションと該第２インジケーションに基づいて該距離を算出すること
を具備する、請求項１１の装置。
【請求項１６】
該距離の決定は該距離のインジケーションを受信することを含む、請求項１１の装置。
【請求項１７】
該少なくとも１つの信号は少なくとも１つのパイロット信号を含む、請求項１１の装置。
【請求項１８】
請求項１１の装置であって、
アクセス端末の所在地を決定するために構成された所在地決定器、及び
該決定された所在地に基づいて、該アクセス端末において該少なくとも１つの信号の探索を開始するかどうかを決定するために構成された探索制御器
を更に具備する装置。
【請求項１９】
該距離決定器は、第３アクセス・ポイントと該第２アクセス・ポイントとの間の別の距離を決定するために、更に構成される、
該探索ウィンドウ範囲設定器は、該決定された別の距離に基づいて、該探索ウィンドウの範囲を設定するために、更に構成される、及び
該受信機は、該範囲設定された探索ウィンドウに基づいて、該第３アクセス・ポイントからの少なくとも１つの他の信号を探索するために、更に構成される
請求項１１の装置。
【請求項２０】
該第１アクセス・ポイントはフェムト・ノード又はピコ・ノードを含む、及び
該第２アクセス・ポイントはマクロ・アクセス・ポイントを含む、
請求項１１の装置。
【請求項２１】
通信のための装置であって、
第１アクセス・ポイントと第２アクセス・ポイントとの間の距離を決定するための手段、
該決定された距離に基づいて、探索ウィンドウの範囲を設定するための手段、及び
該範囲設定された探索ウィンドウに基づいて、該第１アクセス・ポイントからの少なくとも１つの信号を探索するための手段
を具備する装置。
【請求項２２】
該探索ウィンドウの範囲設定は該探索ウィンドウの中心を特定することを含む、請求項２１の装置。
【請求項２３】
該探索ウィンドウの範囲設定は、該決定された距離に関連づけられる伝播遅延時間に従って、該探索ウィンドウの中心のタイミングを調整することを含む、請求項２１の装置。
【請求項２４】
該第２アクセス・ポイントからタイミングを入手するための手段を更に含み、該探索ウィンドウのタイミングは該入手されたタイミングに基づく、請求項２１の装置。
【請求項２５】
該距離の決定は
該第１アクセス・ポイントの所在地の第１インジケーションを受信すること、
該第２アクセス・ポイントの所在地の第２インジケーションを受信すること、及び
該第１インジケーションと該第２インジケーションに基づいて該距離を算出すること
を具備する、請求項２１の装置。
【請求項２６】
該距離の決定は該距離のインジケーションを受信することを含む、請求項２１の装置。
【請求項２７】
該少なくとも１つの信号は少なくとも１つのパイロット信号を含む、請求項２１の装置。
【請求項２８】
請求項２１の装置であって、
アクセス端末の所在地を決定するための手段、及び
該決定された所在地に基づいて、該アクセス端末において該少なくとも１つの信号の探索を開始するかどうかを決定するための手段
を更に具備する装置。
【請求項２９】
距離を決定するための該手段は、第３アクセス・ポイントと該第２アクセス・ポイントとの間の別の距離を決定するために構成される、
探索ウィンドウの範囲設定するための該手段は、該決定された別の距離に基づいて、該探索ウィンドウの範囲を設定するために構成される、及び
探索するための該手段は、該範囲設定された探索ウィンドウに基づいて、該第３アクセス・ポイントからの少なくとも１つの他の信号を探索するために構成される
請求項２１の装置。
【請求項３０】
該第１アクセス・ポイントはフェムト・ノード又はピコ・ノードを含む、及び
該第２アクセス・ポイントはマクロ・アクセス・ポイントを含む、
請求項２１の装置。
【請求項３１】
コンピュータ・プログラム製品であって、コンピュータに
第１アクセス・ポイントと第２アクセス・ポイントとの間の距離を決定させるための、
該決定された距離に基づいて、探索ウィンドウの範囲を設定させるための、及び
該範囲設定された探索ウィンドウに基づいて、該第１アクセス・ポイントからの少なくとも１つの信号を探索させるための
諸コードを具備するコンピュータ可読媒体を具備する、コンピュータ・プログラム製品。
【請求項３２】
該探索ウィンドウの範囲設定は該探索ウィンドウの中心を特定することを含む、請求項３１のコンピュータ・プログラム製品。
【請求項３３】
該探索ウィンドウの範囲設定は、該決定された距離に関連づけられる伝播遅延時間に従って、該探索ウィンドウの中心のタイミングを調整することを含む、請求項３１のコンピュータ・プログラム製品。
【請求項３４】
該コンピュータ可読媒体は、該コンピュータに該第２アクセス・ポイントからタイミングを入手させるための、諸コードを更に具備する、及び
該探索ウィンドウのタイミングは該入手されたタイミングに基づく、
請求項３１のコンピュータ・プログラム製品。
【請求項３５】
該距離の決定は
該第１アクセス・ポイントの所在地の第１インジケーションを受信すること、
該第２アクセス・ポイントの所在地の第２インジケーションを受信すること、及び
該第１インジケーションと該第２インジケーションに基づいて該距離を算出すること
を具備する、請求項３１のコンピュータ・プログラム製品。
【請求項３６】
該距離の決定は該距離のインジケーションを受信することを含む、請求項３１のコンピュータ・プログラム製品。
【請求項３７】
該少なくとも１つの信号は少なくとも１つのパイロット信号を含む、請求項３１のコンピュータ・プログラム製品。
【請求項３８】
該コンピュータ可読媒体は、該コンピュータに
アクセス端末の所在地を決定させるための、及び
該決定された所在地に基づいて、該アクセス端末において該少なくとも１つの信号の探索を開始するかどうかを決定させるための
諸コードを更に具備する、請求項３１のコンピュータ・プログラム製品。
【請求項３９】
該コンピュータ可読媒体は、該コンピュータに
第３アクセス・ポイントと該第２アクセス・ポイントとの間の別の距離を決定させるための、
該決定された別の距離に基づいて、該探索ウィンドウの範囲を設定させるための、及び
該範囲設定された探索ウィンドウに基づいて、該第３アクセス・ポイントからの少なくとも１つの他の信号を探索させるための
諸コードを更に具備する、請求項３１のコンピュータ・プログラム製品。
【請求項４０】
該第１アクセス・ポイントはフェムト・ノード又はピコ・ノードを含む、及び
該第２アクセス・ポイントはマクロ・アクセス・ポイントを含む、
請求項３１のコンピュータ・プログラム製品。
【発明の詳細な説明】
【関連出願の表示】
【０００１】
［３５Ｕ．Ｓ．Ｃ．§１１９に基づく優先権の主張］
本出願は、２００７年１１月９日に提出され、Ａｔｔｏｒｎｅｙ  ＤｏｃｋｅｔＮｏ．０８０２１８Ｐ１を付与された、同一出願人所有の米国特許仮出願番号６０／９８６，９５３に優先権を主張する。上記仮出願の開示は本出願における参照として本出願によって組み込まれる。
【技術分野】
【０００２】
本出願は一般に無線通信に係り、特に、探索（search）ウィンドウを範囲設定することに関するが、それだけではない。
【背景技術】
【０００３】
無線通信システムは広汎に配備されて多数の利用者に種々の形式の通信（例えば、音声、データ、マルチメディア・サービス、等々）を提供する。高速通信とマルチメディア・データ・サービスに対する要求が急速に高まるに従い、向上した性能を備え効率的で頑健な通信システムを実現するための技術課題がある。
【０００４】
従来のモバイル電話ネットワーク基地局（例えば、マクロセル）を補完するため、小通信範囲基地局が、より頑健な屋内無線通信範囲を諸モバイル・ユニットに提供するために、配備されることが出来る（例えば、一利用者の家庭内に据え付けられる）。このような小通信範囲基地局は一般に、アクセス・ポイント（access point）基地局、ホーム・ノードＢ（Home NodeB）、又はフェムト・セル（femto cell）、として知られている。一般的には、そのような小通信範囲基地局は、ＤＳＬルータ又はケーブル・モデムを介して、インターネット、及び、モバイル通信業者のネットワークに接続される。
【０００５】
ある複数のフェムト・セル配備においては、マクロ・セルによってカバーされる領域中に比較的多数のフェムト・セルが存在することがある。このような場合、あるモバイル・ユニットが該マクロ・システムをモニタしているとき、該モバイル・ユニットは結局、フェムト・セル探索空間内で多数の隣接するフェムト・セルを、探索することになる可能性がある。しかしながら、そのような多数の探索を実行することは、（例えば、それによって待機時間を削減して）モバイル・ユニットのバッテリー寿命を減少させることになり得る。
【発明の概要】
【０００６】
本開示の見本的諸態様の概要が以下に述べられる。本概要中の用語態様への如何なる言及も本開示の1又は複数の態様に関するということが理解されるべきである。
【０００７】
本開示は、ある態様において、２つのアクセス・ポイント間の距離に基づいて探索ウィンドウの範囲を設定することに関する。例えば、マクロ・アクセス・ポイントから自身のタイミングを入手しているアクセス端末は、あるフェムト・ノードを探索するための探索ウィンドウを、該マクロ・アクセス・ポイントと該フェムト・ノード間の距離に基づいて、範囲設定することが出来る。
【０００８】
ある複数の態様では、探索ウィンドウの範囲を設定することは該探索ウィンドウの中心を調整すること（例えば、進めること）を具備する。例えば、フェムト・ノードがマクロ・アクセス・ポイントから離れるほど、探索ウィンドウの中心は遠方に進められることが出来る。
【０００９】
本開示は、ある態様において、より小領域の通信範囲を提供するアクセス・ポイント（例えば、フェムト・ノード又はピコ・ノード）を探索するためのより短時間の探索ウィンドウを提供することに関する。ここで、短時間探索ウィンドウが利用されることが出来るのは、該アクセス端末が小領域通信範囲アクセス・ポイントから、該アクセス端末が該アクセス・ポイントに比較的接近している場合に、専ら信号を受信することが出来るが故である。より短い探索時間を利用することによって、手近なアクセス・ポイントがより迅速に捕捉されることが出来て、探索を実行するためにより少ないアクセス端末の資源が利用されることが出来る。結果として、該アクセス端末はより少ない電力を消費することが出来て、このことは、今度は、該アクセス端末のバッテリー寿命を延長することになる。
【００１０】
本開示のこれ等の及びその他の見本的諸態様が、下記の詳細な説明と特許請求の範囲、及び付図において説明される。
【図面の簡単な説明】
【００１１】
【図１】図1は、アクセス端末がアクセス・ポイント間の距離に基づいて探索ウィンドウの範囲を設定する、通信システムの数個の見本的態様の単純化されたブロック図である。
【図２】図２は無線通信に対する見本的通信領域を例示する単純化された略図である。
【図３】図３はアクセス・ポイントとアクセス端末を含む無線通信システムの単純化された略図である。
【図４】図４はフェムト・ノードを含む無線通信システムの単純化された略図である。
【図５】図５は無線通信システムにおける信号タイミングの関係を例示する単純化された略図である。
【図６】図６はアクセス・ポイント間の距離に基づいて探索ウィンドウの範囲を設定するために実行されることが出来る動作の数個の見本的態様の流れ図である。
【図７】図７はアクセス・ポイント間の距離に基づいて探索ウィンドウの範囲を設定するために構成されたノードの数個の見本的コンポーネントの単純化されたブロック図である。
【図８】図８は通信コンポーネントの数個の見本的態様の単純化されたブロック図である。
【図９】図９は、本明細書で教示されるように、アクセス・ポイント間の距離に基づいて探索ウィンドウの範囲を設定するように構成された装置の数個の見本的態様の単純化されたブロック図である。
【発明を実施するための形態】
【００１２】
一般的慣行に従い、図面中に例示される種々の諸特徴は縮尺通りに図示されているとは言えない。従って、種々の諸特徴の寸法は簡明を期するため任意に拡大または縮小されることがある。更に、幾つかの図面は簡明を期するために単純化されることがある。従って、図面は所与の装置（例えば、機器）又は方法の諸コンポーネントの必ずしも全てを図示するとは言えない。最後に、同じ参照番号は、本明細書と図面全体に亘って、同じ特徴を示すために使用されることが出来る。
【００１３】
本開示の種々の態様が下記に説明される。本明細書中の諸教示は多種多様な形式で具体化されることが出来ること、及び、本明細書中で開示される任意の具体的な構成、機能またはその双方が単に代表的なものであるということ、は当然明白である。当業者は、本明細書中で開示されるある一態様が任意の他の諸態様とは独立に実現されることが出来るということ、及び、２つ以上のこれ等の態様が種々の方法で結合されることが出来ることを、本明細書中の諸教示に基づいて、認識すべきである。例えば、本明細書中で説明される幾らでもある諸態様を利用して、ある装置が実現されることが出来、或いは、ある方法が実行されることが出来る。更に、本明細書中で説明される1又は複数の諸態様に加えられる、或いは該諸態様とは異なる、他の構成、機能性、又は、構成および機能性を利用して、そのような装置が実現されることが出来、或いは、そのような方法が実行されることが出来る。その上、ある一態様は特許請求項の少なくとも1つの構成要素を具備することが出来る。
【００１４】
図1は、見本的通信システム１００（例えば、通信ネットワークの一部）における数個のノードを例示する。例示目的のために、本開示の種々の態様が、互いに通信する、1又は複数のアクセス端末、アクセス・ポイント、及び、ネットワーク・ノードとの関連において、説明される。しかしながら、本明細書中の諸教示は他の型の装置、又は、他の用語を使用して参照される他の類似装置、にも適用可能であることが認識されるべきである。
【００１５】
システム１００中のアクセス・ポイント１０２〜１０６は、内部に据え付けられることが出来る、或いは、関連する地理的領域をあまねく動きまわることが出来る、1又は複数の無線端末（例えば、アクセス端末１０８）に対して1又は複数のサービス（例えば、ネットワーク接続性）を提供する。更に、アクセス・ポイント１０２〜１０６は、広い領域のネットワーク接続性を容易にするために、（便宜的にネットワーク・ノード１１０によって表わされる）1又は複数のネットワーク・ノードと通信することが出来る。このようなネットワーク・ノードは、例えば、1又は複数の無線ネットワーク・エンティティ（entities）及び／又はコア・ネットワーク・エンティティ（例えば、設定マネジャー、移動管理エンティティ、或いは何か他の適切なネットワーク・エンティティ）のような、種々の形態をとることが出来る。
【００１６】
図1と後に続く議論は、アクセス端末１０８が２つのアクセス・ポイント（例えば、アクセス・ポイント１０２と１０４）間の距離に基づいて探索ウィンドウの範囲を設定する、探索方式を説明する。ここで、アクセス・ポイント１０２は、アクセス端末１０８がタイミングを入手する相手のマクロ・アクセス・ポイントを含むことが出来る。換言すると、アクセス端末１０８は、アクセス・ポイント１０２のタイミングに同期させることによって、自身のタイミングをシステム１００のタイミングに同期させる。その結果、アクセス端末１０８は、システム１００内の他のアクセス・ポイント（例えば、アクセス・ポイント１０４）によって送信される諸信号（例えば、パイロット信号）を何時そして何処で探索すべきかを決定するために、この入手されたタイミングを利用する。アクセス・ポイント１０２と１０４からアクセス端末１０８への諸信号の伝送に関連付けられる伝播遅延を補償するために、アクセス端末１０８は、適切な時間オフセットにおいて、及び、アクセス端末１０８が、これ等の信号がアクセス端末１０８に出現すると期待される、アクセス・ポイント１０４からの諸信号をモニタすることを保証するのに十分な幅を持つ、探索ウィンドウの範囲を設定する。
【００１７】
ある複数の態様では、該探索ウィンドウの範囲を設定することは、アクセス・ポイント１０４（例えば、フェムト・ノード）はアクセス・ポイント１０２より小さな通信領域を有する可能性があることを考慮する。このような場合、アクセス端末１０８は自身がアクセス・ポイント１０４に比較的接近している場合のみアクセス・ポイント１０４から十分な強度の信号を受信するが故に、アクセス端末１０８はより小さな探索ウィンドウを利用することで利益を得る。下記に更に詳細に説明されるように、アクセス端末１０８（例えば、探索ウィンドウ範囲設定器１１２）は、アクセス・ポイント１０２と１０４間の（例えば、データベース１１４中に保持されるような）距離に基づいて、この探索ウィンドウの範囲を設定することが出来る。
【００１８】
図２は、種々異なる通信領域を有する種々異なるアクセス・ポイントがネットワーク２００中に如何に配備されることが出来るか、ということの一例を示す。ここで、ネットワーク２００は、マクロ通信範囲２０４（例えば、一般的にマクロ・セル・ネットワーク或いはＷＡＮと呼ばれる、３Ｇネットワークのような大領域セルラ・ネットワーク）と、もっと小さな領域の通信範囲２０６（例えば、一般的にＬＡＮと呼ばれる、住居を基盤とする或いはビルディングを基盤とするネットワーク環境）を提供することが出来る。アクセス端末がそのようなネットワークを通って移動する場合、該アクセス端末はある所在地において、マクロ通信範囲を提供するアクセス・ポイントによってサービスを受けることが出来るが、その一方では、該アクセス端末は他の所在地において、より小さな領域の通信範囲を提供するアクセス・ポイントによってサービスを受けることが出来る。ある複数の態様では、該より小さな通信範囲のノードは、増大する能力増強、建物内通信範囲、及び（例えば、更に頑健な利用者体験のための）種々異なるサービス、を提供するために使用されることが出来る。
【００１９】
本明細書中の説明では、比較的大きな領域に亘る通信範囲を提供するノードはマクロ・ノード（又は、マクロ・アクセス・ポイント）と呼ばれることが出来る。他方、比較的小さな領域（例えば、住居）に亘る通信範囲を提供するノードはフェムト・ノードと呼ばれることが出来る。本明細書における諸教示は他の型の通信領域に関連付けられるノードにも適用可能であり得ることは認識されるべきである。例えば、ピコ・ノードはマクロ領域よりは小さく且つフェムト領域よりは大きな領域をカバーする通信範囲（例えば、商業ビルディング内の通信範囲）を提供することが出来る。種々の適用において、他の用語が、マクロ・ノード、フェムト・ノード、或いは他のアクセス・ポイント型のノードを言及するために、使用されることが出来る。例えば、マクロ・ノードは、アクセス・ノード、基地局、アクセス・ポイント、ｅＮｏｄｅＢ、マクロ・セル、等々として構成され、或いは、そのように呼ばれることが出来る。又、フェムト・ノードは、ホーム・ノードＢ、ホームｅＮｏｄｅＢ、アクセス・ポイント基地局、フェムト・セル、等々として構成され、或いは、そのように呼ばれることが出来る。ある複数の実施においては、ノードは1又は複数のセル又はセクタと関連付けられる（例えば、それ等に分割される）ことが出来る。マクロ・ノード、フェムト・ノード、或いはピコ・ノードと関連付けられるセル又はセクタは、それぞれ、マクロ・セル、フェムト・セル、或いはピコ・セルと呼ばれることが出来る。
【００２０】
図２の例では、数個のトラッキング・エリア（tracking area）２０２（或いは、ルーティング・エリア（routing area）又はロケーション・エリア（location area））の範囲が設定され、それぞれの該エリアは数個のマクロ通信領域２０４を含む。ここに、トラッキング・エリア２０２Ａ、２０２Ｂ及び２０２Ｃと関連付けられる通信範囲の諸領域は太線によって輪郭され、そしてマクロ通信範囲２０４は６角形によって表わされる。上述のように、トラッキング・エリア２０２は又フェムト通信領域２０６を含むことが出来る。この例では、それぞれのフェムト通信領域２０６（例えば、フェムト通信領域２０６Ｃ）はマクロ通信領域２０４（例えば、マクロ通信領域２０４Ｂ）の内部に図示される。しかしながら、フェムト通信領域２０６は完全にはマクロ通信領域２０４の内部に収まらないこともある、ということが認識されるべきである。又、1又は複数のピコ・セル又はフェムト・セルが、所与のトラッキング・エリア２０２又はマクロ通信領域２０４の内部に、範囲設定されることが出来る。
【００２１】
図３は、無線通信システム３００のセル３０２（例えば、マクロセル３０２Ａ〜３０２Ｇ）が、対応するアクセス・ポイント３０４（例えば、アクセス・ポイント３０４Ａ〜３０４Ｇ）によって如何にサービスされることが出来るか、ということを単純化された方法で、例示する。ここに、マクロ・セル３０２は図２のマクロ通信領域２０４に対応することが出来る。図３で示されるように、アクセス端末３０６（例えば、アクセス端末３０６Ａ〜３０６Ｌ）は、長時間の間に該システム全体に亘って種々の場所に分散されることが出来る。それぞれのアクセス端末３０６は、例えば、該アクセス端末３０６がアクティブであるかどうか、及び、該端末がソフト・ハンドオフ（soft handoff）中であるかどうかに依存して、所与の時点で、順方向リンク（forward link）（“ＦＬ”）及び／又は逆方向リンク（reverse link）（“ＲＬ”）上で、1又は複数のアクセス・ポイント３０４と通信することが出来る。このセルラ方式を利用することによって、無線通信システム３００は広い地理的領域に亘ってサービスを提供することが出来る。例えば、それぞれのマクロ・セル３０２Ａ〜３０２Ｇは近隣の数ブロック又は田園環境では数平方マイルをカバーすることが出来る。
【００２２】
図４は、1又は複数のフェムト・ノードがネットワーク環境（例えば、システム３００）内部において如何に配備されるか、の一例を示す。図４のシステム４００では、複数のフェムト・ノード４１０（例えば、フェムト・ノード４１０Ａと４１０Ｂ）が比較的小領域通信範囲のネットワーク環境中に（例えば、1又は複数の利用者住居４３０中に）取り付けられる。それぞれのフェムト・ノード４１０は、ＤＳＬルータ、ケーブル・モデム、無線リンク、或いは（図示されない）他の接続手段、を介して、広域ネットワーク４４０（例えば、インターネット）とモバイル通信業者のコア・ネットワーク４５０に接続されることが出来る。
【００２３】
フェムト・ノード４１０の所有者は、モバイル通信業者のコア・ネットワーク４５０を介して提供される、例えば、３Ｇモバイル・サービスのような、モバイル・サービスに加入することが出来る。更に、アクセス端末４２０は、マクロ環境およびより小領域通信範囲の（例えば、住居の）ネットワーク環境、双方において動作する性能を備えることが出来る。換言すれば、アクセス端末４２０の現所在地次第で、アクセス端末４２０はモバイル通信業者のコア・ネットワーク４５０に関連付けられるマクロ・セル・アクセス・ポイント４６０によるサービスを受けることが出来るし、或いは、フェムト・ノード４１０の集合（例えば、対応する利用者住居４３０内に常駐するフェムト・ノード４１０Ａと４１０Ｂ）の内の任意の1つによるサービスを受けることも出来る。例えば、ある加入者が彼の家庭の外にいる場合、該加入者は標準のマクロ・アクセス・ポイント（例えば、アクセス・ポイント４６０）によるサービスを受けることが出来る、そして、該加入者が彼の家庭の近所または中にいる場合、該加入者はフェムト・ノード（例えば、ノード４１０Ａ）によるサービスを受けることが出来る。ここに、フェムト・ノード４１０はレガシー（legacy）アクセス端末４２０と後方互換性を有することが出来る。
【００２４】
上記の概括を念頭において、本明細書の諸教示に従って実施されることが出来る探索方式に関する更なる詳細が、図５〜図７を参照して、ここに説明される。図５はシステム内の諸ノード間の幾つかのタイミング関係を例示する。図６は1又は複数のアクセス・ポイントからの諸信号を探索することに関して実行されることが出来る見本的諸動作を説明する。図７は、そのような探索方式を容易にするためにノード内で利用されることが出来る幾つかの見本的コンポーネントを例示する。
【００２５】
図５では、アクセス・ポイント１０２と１０４は距離Ｄだけ離れており、そして、アクセス端末１０８は、アクセス・ポイント１０２と１０４近傍の３次元空間内の任意の場所に、所在を置かれることが出来る。しかしながら、議論の目的のために、アクセス端末１０８は、アクセス・ポイント１０２と１０４との間の仮想的直線に沿ったある場所にいると、初めに仮定される。従って、（アクセス・ポイント１０２とアクセス端末１０８との間の）距離ｄ１と（アクセス・ポイント１０４とアクセス端末１０８との間の）距離ｄ２の和はＤに等しい。
【００２６】
上述のように、アクセス端末１０８はアクセス・ポイント１０２からタイミング信号を受信する。しかしながら、信号の伝播遅延のために、アクセス端末１０８における時間参照はアクセス・ポイント１０２における時間参照とは異なることがあり得る。具体的には、アクセス端末１０８における時間は、アクセス・ポイント１０２における時間より遅れて、近似的にｔ−ｄ１／ｃとなる。ここに、ｔはアクセス・ポイント１０２における時間であり、ｃは光速度である。
【００２７】
又、信号の伝播遅延のために、アクセス端末１０８がアクセス・ポイント１０４からパイロット信号を受信する時間は、アクセス・ポイント１０４がパイロット信号を発信した時間より、近似的にｄ２／ｃだけ遅れる。ここに、時間ｔは近似的にアクセス・ポイント１０４における時間である（該時間は、一定の許容範囲内で、アクセス・ポイント１０２における時間に同期される）。従って、アクセス端末１０８における時間参照の視点から見ると、アクセス・ポイント１０４からのパイロット信号は、位相遅れ（ｄ２−ｄ１）／ｃだけ遅延されて、アクセス端末１０８において受信される。ここでの最大位相遅れはＤ／ｃである、ということが認識されるべきである。又、この位相遅れの関係は、該アクセス端末がアクセス・ポイント１０２と１０４を結ぶ直線に沿って置かれる場合でなくても、成立するということも認識されるべきである。すなわち、破線で示されるアクセス端末１０８Ａに対して、位相遅れは（ｄ２´−ｄ１´）／ｃであり、最大可能位相遅れは矢張りＤ／ｃである。
【００２８】
もしアクセス・ポイント１０２と１０４が共に大領域通信範囲を提供するならば、アクセス端末１０８に対する探索ウィンドウは該最大可能位相遅れに等しいと範囲設定されることが出来る。この方法では、アクセス端末１０８がアクセス・ポイント１０２に近いかアクセス・ポイント１０４に近いかということには無関係に、アクセス端末１０８は、探索ウィンドウの時間内で、アクセス・ポイント１０４によって送信されるパイロット信号を捕捉することが出来ると言える。
【００２９】
ここで図６と図７を参照して、アクセス・ポイント１０４が比較的小領域の通信範囲を提供する場合において、より小さな探索ウィンドウを提供して利益を得ることが出来る探索方式が説明される。ここに、より小さなサイズの探索ウィンドウが利用されるが、その理由は、該アクセス端末１０８がアクセス・ポイント１０４に比較的接近している場合とは異なるシナリオに対して、該探索ウィンドウは対応する責任を取る必要がないからである。換言すれば、アクセス端末１０８は、それがアクセス・ポイント１０４から離れている場合、アクセス・ポイント１０４から十分な強度のパイロット信号を受信することはない。結果として、探索ウィンドウのサイズは、アクセス端末１０８がアクセス・ポイント１０４からパイロット信号を受信していない位相空間では探索することを避けるために、縮小されることが出来る。下記に更に詳細に説明されるように、アクセス・ポイント１０２と１０４間の距離が探索ウィンドウの範囲を設定するために（例えば、探索ウィンドウの中心に対して適切な時間を特定するために）使用され、そして、アクセス・ポイント１０４からのパイロット信号を探索する場合、（例えば、アクセス・ポイント１０２と１０４の相対的時間公差に対応する）より小さな探索ウィンドウがアクセス端末１０８によって使用されることが出来る。
【００３０】
例示目的のために、図６の諸動作（或いは、本明細書中で議論又は教示される他のすべての動作）は、特定のコンポーネント（例えば、システム１００の諸コンポーネント及び／又は図７で示されるアクセス端末の諸コンポーネント）によって実行されるとして、説明されることが出来る。しかしながら、これ等の動作は他の型のコンポーネントによって実行されることが出来る、そして、異なる数のコンポーネントを使用して実行されることが出来る、ということが認識されるべきである。本明細書記載の1又は複数の動作は、所与の実施においては、利用されないことがあり得る、ということも認識されるべきである。
【００３１】
図7は、本明細書中で教示されるような諸探索動作を実行するために、アクセス端末１０８のようなノード中に組み込まれることが出来る、数個の見本的コンポーネントを例示する。説明される諸コンポーネントは通信システムにおける他のノード中に組み込まれることも出来る。例えば、システム内の他のノードは、同様な機能性を提供するために、アクセス端末１０８に対して説明されるものと類似の諸コンポーネントを含むことが出来る。所与のノードは1又は複数の該説明される諸コンポーネントを含むことが出来る。例えば、あるアクセス端末は、該アクセス端末が複数の周波数上で動作することを可能にする、及び／又は、異なる技術を介して通信することを可能にする、複数のトランシーバ・コンポーネントを含むことが出来る。
【００３２】
図7で示されるように、アクセス端末１０８は他のノードと通信するためにトランシーバ７０２を含むことが出来る。トランシーバ７０２は信号（例えば、メッセージ）を送るための送信機７０４と信号を受信（例えば、パイロット信号の探索を実行することを含む）するための受信機７０６を含む。
【００３３】
アクセス端末１０８は又、本明細書中で教示されるような探索動作に関連して使用されることが出来る、他の諸コンポーネントを含むことも出来る。例えば、アクセス端末１０８は、他のノードとの通信（例えば、メッセージ／命令の送受信）を管理するための、及び、本明細書中で教示されるような他の関連する機能性を提供するための、通信制御器７０８を含むことが出来る。アクセス端末１０８は諸アクセス・ポイント間の距離を決定するための、及び、本明細書中で教示されるような他の関連する機能性を提供するための、距離決定器７１０含むことが出来る。アクセス端末１０８は、探索ウィンドウの範囲を設定するための、及び、本明細書中で教示されるような他の関連する機能性を提供するための、（上記で論じられたような）探索ウィンドウ範囲設定器１１２を含むことが出来る。アクセス端末１０８は、タイミングを入手および提供するための、及び、本明細書中で教示されるような他の関連する機能性を提供するための、タイミング制御器７１２を含むことが出来る。アクセス端末１０８は、アクセス端末１０８の所在地を決定するための、及び、本明細書中で教示されるような他の関連する機能性を提供するための、所在地決定器７１４を含むことが出来る。アクセス端末１０８は、探索動作を制御するための、及び、本明細書中で教示されるような他の関連する機能性を提供するための、探索制御器７１６を含むことが出来る。
【００３４】
ここで、ブロック６０２によって示されるような、図６の諸動作を参照して、アクセス端末１０８（例えば、距離決定器７１０）は、アクセス・ポイント１０２と１０４との間の距離を決定する。この目的のために、アクセス端末１０８は別のノードからこの距離を示す情報を受信することが出来る。
【００３５】
ある複数の実施において、アクセス端末１０８はアクセス・ポイント１０２と１０４との間の距離を明示的に示す情報を受信することが出来る。例えば、これ等のアクセス・ポイントの内の１つ又はシステム内の何か他のノードは、これ等の情報を保持することが出来て、それをある時点でアクセス端末１０８に送ることが出来る。１つの具体的な例として、ある所与のフェムト・ノードが構成されるとき、隣接するマクロ・アクセス・ポイント（例えば、最近接マクロ・アクセス・ポイント）までの距離が計算されて該フェムト・ノードに記憶されることが出来る。この場合、この距離情報は、アクセス端末１０８が該ネットワークに接続するとき或いは何か他の時に、アクセス端末１０８へと搬送されることが出来る。別の例として、ネットワークは、フェムト・ノードを構成することを容易にする、（例えば、図１中のネットワーク・ノード１１０によって表わされるような）1又は複数のネットワーク・エンティティを具備することが出来る。例えば、このようなエンティティは該ネットワーク中の種々のノード（例えば、マクロ・アクセス・ポイントとフェムト・ノード）のための情報（例えば、所在地情報）を保持することが出来る。種々の実施において、このようなエンティティはスタンド・アローン（stand-alone）コンポーネントとして実装されることが出来る、或いは、他の一般的なネットワーク・コンポーネントに組み込まれることが出来る。
【００３６】
ある複数の実施において、アクセス端末１０８はアクセス・ポイント１０２と１０４の所在地を示す情報を受信することが出来る。このような場合、該アクセス端末は、この所在地情報に基づいて、アクセス・ポイント１０２と１０４との間の距離を計算することが出来る。アクセス・ポイント１０２と１０４は静止しているから、アクセス端末１０８はある時にこの計算を実行してその結果をデータベース１１４に記憶することが出来る。
【００３７】
アクセス端末１０８は、アクセス端末１０８がその現所在地で使用することが出来る新しいアクセス・ポイントがあるかどうかを見出す目的で、アクセス・ポイントの実地調査型探索を実行することが出来る。例えば、もしこのような実地調査型探索を実行してアクセス端末１０８が新しいフェムト・ノードを発見するならば、アクセス端末１０８はデータベース１１４を更新することが出来る。アクセス端末１０８が実地調査型探索の結果として新しいフェムト・ノードを発見するとき、アクセス端末１０８は、マクロ・アクセス・ポイント１０２（該端末の現在のサービング・セル）と該フェムト・ノード、両者の所在地を知ることが出来る。例えば、両者の所在地はオーバヘッド・メッセージ（overhead messages）で伝送されることが出来る。従って、アクセス端末１０８はこれ等のアクセス・ポイント間の距離を計算することが出来て、この情報を新しく発見されたフェムト・ノードについての他の関連情報と共に、データベース１１４中に記憶することが出来る。
【００３８】
所与の目標対象のフェムト・ノードの所在地は、該フェムト・ノードが構成されるとき、決定または確認されることが出来る。該フェムト・ノードの所在地は該フェムト・ノードによって制御チャネルを介して伝送されることが出来る。アクセス端末１０８が、例えば実地調査型探索を実行して、ホスト・フェムト・ノード（或いは、アクセス端末１０８がそこでサービスを受けることが出来る他の任意のフェムト・ノード）を捕捉するとき、アクセス端末１０８はこの所在地情報を受信する。
【００３９】
上述のように、アクセス端末１０８は、アクセス端末１０８がある時点で探索する目標対象のフェムト・セルに対するエントリー（entries）を含む、データベース１１４を保持することが出来る。一般的な場合では、目標対象のフェムト・セルはある指定されたホスト・フェムト・ノード（例えば、アクセス端末１０８の利用者の家庭内に設置されたフェムト・ノード）を含むことが出来る。
【００４０】
データベース１１４のエントリーは又、ネットワーク内の諸マクロ・アクセス・ポイントに関する情報を含むことも出来る。特に、該データベースで特定される目標対象のフェムト・ノードに近接するマクロ・アクセス・ポイントについての情報エレメントがあり得る。例えば、それぞれの目標対象のフェムト・ノードに対して、データベース１１４は、アクセス端末１０８が、該目標対象のフェムト・ノードの近傍にあるマクロ・セルラ・ネットワーク上にいる場合、システム・タイミングを入手するために利用することが出来るマクロ・アクセス・ポイントを識別するエレメントを含むことが出来る。ある複数の場合、このマクロ・アクセス・ポイントは目標対象のフェムト・ノードに最も近接するアクセス・ポイントであることができる。便宜上、該マクロ・アクセス・ポイントは本明細書中では“母セル”と呼ばれることがあり、他方、対応する目標対象のフェムト・ノードは“娘セル”と呼ばれることがある。
【００４１】
データベース１１４は、アクセス端末１０８が所与のアクセス・ポイントからの信号を識別してその所在地を決定することを可能にする、種々の型の情報を含むことが出来る。例えば、この情報は、パイロット信号を送信するときにアクセス・ポイントによって使用される、疑似乱数（“ＰＮ”）列の位相オフセット、該アクセス・ポイントの緯度と経度、アクセス・ポイント識別子（例えば、フェムトＩＤ）、及び該アクセス・ポイントを識別する他の情報、を含むことが出来る。
【００４２】
ある複数の実施において、アクセス端末１０８はデータベース情報を自律的に入手することが出来る。例えば、上述のように、アクセス端末１０８は、ネットワーク内のあるアクセス・ポイントに接続する場合、或いは、実地調査型探索の結果新しいアクセス・ポイントを発見した場合、この情報を自動的に入手することを試みることが出来る。
【００４３】
ある複数の実施において、アクセス端末１０８は、より自律的ではない方法で、データベース情報を取得することが出来る。例えば、この情報は、ネットワークの動作によって安全にダウンロードされることが出来る、或いは、アクセス端末１０８の利用者または無線ネットワークの管理者の制御の下で他の方法によりダウンロードされることが出来る
図６のブロック６０４によって表わされるように、アイドル・モード（idle mode）又はアクティブ・モード（active mode）（例えば、通話中）のある時点で、アクセス端末１０８（例えば、タイミング制御器７１２）はアクセス・ポイント１０２からタイミングを入手することが出来る。例えば、アクセス端末１０８が該ネットワークを通って移動する場合、アクセス端末１０８はシステム・タイミングを最も近いマクロ・アクセス・ポイント（例えば、最も強い受信信号強度に関連付けられるマクロ・アクセス・ポイント）から入手することが出来る。
【００４４】
ブロック６０６によって表わされるように、アクセス端末１０８は、1又は複数の目標対象のフェムト・ノードの探索を開始すべきかどうかを判定するために、オプションで自身の所在地をモニタすることが出来る。例えば、探索制御器７１６は、所在地決定器７１４によって提供されるような、アクセス端末１０８の現所在地をモニタすることが出来て、この所在地を、データベース中に記憶されている、目標対象のフェムト・ノードの所在地と比較することが出来る。アクセス端末１０８が1又は複数の目標対象のフェムト・ノードに十分近接している場合、探索制御器７１６はこれ等の目標対象のフェムト・ノードの探索を開始することが出来る。
【００４５】
アクセス端末１０８は、それに代わって、何か他の方法で目標対象のフェムト・ノードを探索するように構成されることが可能である、ということは認識されるべきである。例えば、アクセス端末１０８は、ある複数の実施においては、目標対象のフェムト・ノードを連続的に探索することが出来る、或いは、該端末が、アイドル・モードにある場合にのみ、又は、データベース１１４の内容によって指示される母セル又は諸母セルによってサービスを受けているアクティブ・モードにある場合にのみ、そのような探索を実行することが出来る。
【００４６】
ブロック６０８によって表わされるように、アクセス端末１０８（例えば、探索ウィンドウ範囲設定器１１２）は、目標対象のフェムト・ノードとアクセス端末１０８がタイミングをそこから入手するマクロ・アクセス・ポイント（例えば、アクセス・ポイント１０２）との間の距離に基づいて、目標対象のフェムト・ノード（例えば、アクセス・ポイント１０４）を探索する際に使用されるための、探索ウィンドウの範囲を設定することが出来る。
【００４７】
一例として、上述のように、アクセス端末１０８におけるシステム時間はアクセス・ポイント１０２から引き出されることが出来る。この時間はアクセス・ポイント１０２におけるシステム時間から、アクセス・ポイント１０２とアクセス端末１０８との間の伝播遅延だけ、遅延している。アクセス端末１０８はフェムト・ノード（アクセス・ポイント１０４）を、該ノードが自身に非常に近接するまでは、検出しないが故に、そして、アクセス・ポイント１０４は（例えば、小さな較正誤差を除いて）アクセス・ポイント１０２と同じシステム時間を有するが故に、アクセス端末１０８とアクセス・ポイント１０４との間には（該端末がアクセス・ポイント１０４に近接している場合）システム時間差が存在するということになり、該時間差は近似的にアクセス・ポイント１０２とアクセス・ポイント１０４との間の伝播遅延に等しい。この伝播遅延はアクセス・ポイント１０２とアクセス・ポイント１０４との間の距離に基づいて計算されることが出来る。そこで、アクセス端末１０８は該探索ウィンドウの中心をこの時間の量だけ調整する（例えば、進める）ことが出来る。
【００４８】
ブロック６１０によって表わされるように、探索ウィンドウの中心のタイミングをこの方法で範囲設定することによって、相対的に小さな探索ウィンドウが使用されることが出来る。例えば、該ウィンドウの幅はアクセス・ポイント１０２と１０４のタイミングにおける規定された誤差の許容範囲の程度である。換言すれば、誤差の許容範囲は、ネットワーク内の１つのアクセス・ポイントのシステム時間が、該ネットワーク内の別のアクセス・ポイントのシステム時間から異なることが許容される、最大量に基づいていると言える。ある複数の実施において、このタイミング誤差の許容範囲は３マイクロ秒の程度である。このウィンドウ・サイズは、従って、上述のようにマクロ・セル間の距離に関連付けられる伝播遅延値に対応すると言える（例えば、マクロ・アクセス・ポイントを探索するために使用される）従来の探索ウィンドウのサイズより、遥かに小さくなることが出来る。
【００４９】
ブロック６１２によって表わされるように、一旦探索ウィンドウが範囲設定されると、アクセス端末１０８（例えば、探索制御器７１６）は受信機７０６と協働して、適切な時間に適切な周波数帯（単または複）をモニタすることが出来て、適切に中心を決められた狭いウィンドウの範囲を探索することが出来る。この方法では、アクセス端末１０８がアクセス・ポイント１０４に十分に接近する場合、アクセス端末１０８はアクセス・ポイント１０４によって発信された信号を捕捉することが出来る。
【００５０】
上述の探索方式は数個のアクセス・ポイント（例えば、ある母セルの通信範囲内の同じ全体領域に設置されることが出来る諸フェムト・ノード）からの諸信号を同時に探索するために利用されることが出来る。例えば、アクセス端末１０８はアクセス・ポイント１０４と１０６からの諸信号を同時に探索することが出来る。この場合、アクセス端末１０８は又アクセス・ポイント１０２と１０６との間の距離を決定して、この距離に基づいて探索ウィンドウ（例えば、該探索ウィンドウの中心のタイミング）を範囲設定する。次にアクセス端末１０８は、この探索ウィンドウを用いてアクセス・ポイント１０６からの信号を、過去に範囲設定された探索ウィンドウを使用するアクセス・ポイント１０４からの信号探索と同時に、探索することが出来る。ここで、アクセス・ポイント１０４と１０６は一般的には異なる位相オフセットを使用してそれぞれのパイロット信号を送信するので、これ等の探索は種々異なるＰＮ列位相オフセットを探索することを含むことが出来る、ということが認識されるべきである。
【００５１】
更に、これ等の探索ウィンドウの間の時間的重なりの量は、もしあるとすれば、それぞれのアクセス・ポイントのアクセス・ポイント１０２からのそれぞれ対応する距離に依存する。例えば、もし該距離が同じであれば、２つの探索ウィンドウは完全に重なる。この場合、アクセス端末１０８に対する全体的な探索ウィンドウの幅は諸探索ウィンドウの内の１つの幅に等しい。対照的に、アクセス端末１０８に対する全体的な探索ウィンドウの幅は、もし距離が異なれば（例えば、１つの探索ウィンドウは他の探索ウィンドウよりも時間的に早い）、諸探索ウィンドウの内の１つの幅よりも広くなり得る。
【００５２】
本明細書中の諸教示は種々の型の通信装置で実施されることが出来る。ある複数の態様では、本明細書中の諸教示は、複数の無線アクセス端末に対する通信を同時にサポートすることが出来る、多元接続通信システムに配備されることが出来る諸無線装置で実現されることが出来る。この場合、それぞれの端末は、順方向と逆方向リンク上の伝送を介して、１又は複数のアクセス・ポイントと通信することが出来る。順方向リンク（即ち、下り回線）はアクセス・ポイントから端末への通信回線を指し、そして逆方向リンク（即ち、上り回線）は端末からアクセス・ポイントへの通信回線を指す。この通信回線は、単一入力単一出力システム、多重入力多重出力（“ＭＩＭＯ”）システム、又は何か他の型のシステムを介して、確立されることが出来る。
【００５３】
例示目的のために、図８は、無線装置中にＭＩＭＯを基にしたシステム８００との関連において配備されることが出来る見本的通信コンポーネントを説明する。システム８００は、データ伝送のために、複数（ＮＴ個）の送信アンテナと複数（ＮＲ個）の受信アンテナを使用する。ＮＴ個の送信アンテナとＮＲ個の受信アンテナによって形成されるＭＩＭＯチャネルは、ＮＳ個の独立したチャネルに分解されることが出来て、該チャネルは空間チャネルとも呼ばれる、ここにＮＳ≦ｍｉｎ｛ＮＴ，ＮＲ｝である。ＮＳ個の独立したチャネルのそれぞれは１つの次元（dimension）に対応する。システム８００は、もし複数の送受信アンテナによって創られる追加の次元数が利用されるならば、改良された性能（例えば、より高いスループット及び／又はより大きな信頼性）を提供することが出来る。
【００５４】
システム８００は時分割多重（“ＴＤＤ”）及び周波数分割多重（“ＦＤＤ”）をサポートすることが出来る。ＴＤＤシステムでは、順方向リンク伝送と逆方向リンク伝送は同じ周波数領域上にあり、従って、相反原理が逆方向リンク・チャネルからの順方向リンク・チャネルの推定を可能にする。これはアクセス・ポイントが、該アクセス・ポイントで複数のアンテナが利用可能な場合、順方向リンク上の送信ビーム・フォーミング利得（beam-forming gain）を抽出することを可能にする。
【００５５】
システム８００は無線装置８１０（例えば、アクセス・ポイント）と無線装置８５０（例えば、アクセス端末）を含む。装置８１０では、多数のデータ・ストリームに対する通信データがデータ源８１２から送信（“ＴＸ”）データ・プロセッサ８１４へと供給される。
【００５６】
ある複数の態様では、それぞれのデータ・ストリームはそれぞれ対応する送信アンテナを介して送信される。ＴＸデータ・プロセッサ８１４は、それぞれのデータ・ストリームに対する通信データを、該データストリームに対して選択された個別の符号化方式に基づいて、フォーマットし、符号化し、そしてインターリーブして、符号化データを供給する。
【００５７】
それぞれのデータ・ストリームに対する符号化されたデータはＯＦＤＭ技術を用いてパイロットデータと多重化されることが出来る。該パイロットデータは、既知の方法で処理される一般的には既知のデータ・パターンであって、受信システムにおいてチャネル応答を推定するために使用されることが出来る。それぞれのデータ・ストリームに対して多重化されたパイロット・データと符号化データは、次に、変調シンボルを供給するために、該データ・ストリームに対して選択された特別な変調方式（例えば、ＢＰＳＫ、ＱＳＰＫ、Ｍ−ＰＳＫ、或いはＭ−ＱＡＭ）に基づいて変調（即ち、シンボル・マッピング）される。それぞれのデータ・ストリームに対するデータ速度、符号化、及び変調はプロセッサ８３０によって実行される諸命令によって決定されることが出来る。データ・メモリ８３２は、プロセッサ８３０又は装置８１０の他の諸コンポーネントによって使用される、プログラム・コード、データ、及びその他の情報を記憶することが出来る。
【００５８】
全てのデータ・ストリームに対する変調シンボルは、次に、ＴＸ  ＭＩＭＯプロセッサ８２０に供給され、該プロセッサ８２０は該変調シンボルを（例えば、ＯＦＤＭのために）更に処理することが出来る。ＴＸ  ＭＩＭＯプロセッサ８２０は次にＮＴ個の変調シンボル・ストリームをＮＴ個のトランシーバ（“ＸＣＶＲ”）８２２Ａ〜８２２Ｔに供給する。ある複数の場合、ＴＸ  ＭＩＭＯプロセッサ８２０は、該データ・ストリームの諸シンボルに対して、そして該シンボルがそこから送信されるアンテナに対して、ビーム・フォーミング重み付けを適用する。
【００５９】
それぞれのトランシーバ８２２はそれぞれ対応するシンボル・ストリームを受領して処理し、1又は複数のアナログ信号を供給する、そして、該アナログ信号を更に調整（例えば、増幅、フィルタ処理、及びアップコンバート（upconvert））して、ＭＩＭＯチャネルを介する送信のために適切な変調信号を供給する。次に、トランシーバ８２２Ａ〜８２２ＴからのＮＴ個の変調信号は、ＮＴ個のアンテナ８２４Ａ〜８２４Ｔから、それぞれ送信される。
【００６０】
装置８５０では送信された変調信号がＮＲ個のアンテナ８５２Ａ〜８５２Ｒによて受信されて、それぞれのアンテナ８５２から受信された信号は、それぞれ対応するトランシーバ（“ＸＣＶＲ”）８５４Ａ〜８５４Ｒに供給される。それぞれのトランシーバ８５４はそれぞれ対応する受信信号を調整（例えば、フィルタ処理、増幅、及びダウンコンバート（downconvert））し、該調整された信号をデジタル化してサンプルを供給し、そして該サンプルを更に処理して対応する“受信”シンボル・ストリームを供給する。
【００６１】
受信（“ＲＸ”）データ・プロセッサ８６０は、次に、個々の受信機処理技術に基づいて、ＮＲ個のトランシーバ８５４からのＮＲ個の受信シンボル・ストリームを受領して処理し、ＮＴ個の“検出された”シンボル・ストリームを供給する。ＲＸデータ・プロセッサ８６０は、次に、それぞれの検出されたシンボル・ストリームを復調、逆インターリーブ、及び復号して、該データ・ストリームに対する通信データを復元する。ＲＸデータ・プロセッサ８６０による処理は、装置８１０においてＴＸ  ＭＩＭＯプロセッサ８２０とＴＸデータ・プロセッサ８１４によって実行される処理に相補的である。
【００６２】
プロセッサ８７０は何れのプリコーディング・マトリクス（pre-coding matrix）が使用されるべきかを決定する（下記で説明される）。プロセッサ８７０はマトリクス・インデックス（matrix index）部分とランク値部分を具備する逆方向リンク・メッセージを作成する。データ・メモリ８７２は、プロセッサ８７０又は装置８５０の他のコンポーネントによって使用される、プログラム・コード、データ、及びその他の情報を記憶することが出来る。
【００６３】
逆方向リンク・メッセージは、通信回線及び／又は受信されたデータ・ストリームに関する、種々の型の情報を具備することが出来る。逆方向リンク・メッセージは、次に、データ源８３６から多数のデータ・ストリームのための通信データを受領もする、ＴＸデータ・プロセッサ８３８によって処理され、変調器８８０によって変調され、トランシーバ８５４Ａ〜８５４Ｒによって調整され、そして装置８１０に返送される。
【００６４】
装置８１０では装置８５０からの変調された信号は、アンテナ８２４によって受信され、トランシーバ８２２によって調整され、復調器（“ＤＥＭＯＤ”）８４０によって復調され、そしてＲＸデータ・プロセッサ８４２によって処理されて、装置８５０によって送信された逆方向リンク・メッセージを引き出す。次に、プロセッサ８３０は、何れのプリコーディング・マトリクスがビーム・フォーミング重み付けを決定するために使用されるべきかを決定し、次いで、該引き出されたメッセージを処理する。
【００６５】
図８は又、諸通信コンポーネントが、本明細書で教示されるように、探索制御動作を実行する１又は複数のコンポーネントを含むことが出来る、ということを例示する。例えば、探索制御コンポーネント８９０は、プロセッサ８３０及び／又は装置８１０の他のコンポーネントと協働して、本明細書で教示されるように、別の装置（例えば、装置８５０）宛に／から諸信号を送信／受信する。同様に、探索制御コンポーネント８９２は、プロセッサ８７０及び／又は装置８５０の他のコンポーネントと協働して、別の装置（例えば、装置８１０）宛に／から諸信号を送信／受信する。それぞれの装置８１０と８５０に対しては、２つ以上の説明されたコンポーネントの機能性は単一のコンポーネントによって提供されることが出来る、ということが認識されるべきである。例えば、単一の処理コンポーネントが、探索制御コンポーネント８９０とプロセッサ８３０の機能性を提供することが出来、そして、単一の処理コンポーネントが、探索制御コンポーネント８９２とプロセッサ８７０の機能性を提供することが出来る。
【００６６】
本明細書における諸教示は種々の型の通信システム及び／又はシステム・コンポーネントに組み込まれることが出来る。ある複数の態様では、本明細書における諸教示は、利用可能なシステム資源を分配することによって（例えば、１又は複数の帯域幅、送信電力、符号化、インターリービング、等々を特定することによって）複数の利用者との通信をサポートすることが出来る、多元接続システムにおいて利用されることが出来る。例えば、本明細書における諸教示は、下記の諸技術：符号分割多元接続（Code Division Multiple Access）（“ＣＤＭＡ”）システム、マルチ・キャリアＣＤＭＡ（“ＭＣＣＤＭＡ”）、広帯域ＣＤＭＡ（“Ｗ−ＣＤＭＡ”）、高速パケット・アクセス（“ＨＳＰＡ，” “ＨＳＰＡ＋”）システム、時分割多元接続（Time Division Multiple Access）（“ＴＤＭＡ”）システム、周波数分割多元接続（Frequency Division Multiple Access）（“ＦＤＭＡ”）システム、単一キャリア（Single-Carrier）ＦＤＭＡ（“ＳＣ−ＦＤＭＡ”）システム、直交周波数分割多元接続（Orthogonal FDMA）（“ＯＦＤＭＡ”）システム、又は他の多元接続技術、の内の任意の１つ又は組合せに対して適用されることが出来る。本明細書における諸教示を利用する無線通信システムは、ＩＳ−９５、ｃｄｍａ２０００、ＩＳ−８５６、Ｗ−ＣＤＭＡ、ＴＤＳＣＤＭＡ、及び他の規格のような、１又は複数の規格を実施するために設計されることが出来る。ＣＤＭＡネットワークは、ユニバーサル・テレストリアル・ラジオ・アクセス（Universal Terrestrial Radio Access）（“ＵＴＲＡ”）、ｃｄｍａ２０００、又は何か他の技術のような、無線技術を実施することが出来る。ＵＴＲＡはＷ−ＣＤＭＡ及びロー・チップ・レート（Low Chip Rate）（“ＬＣＲ”）を含む。ｃｄｍａ２０００技術はＩＳ−２０００、ＩＳ−９５及びＩＳ−８５６規格をカバーする。ＴＤＭＡネットワークは、グローバル・システム・フォー・モバイル・コミュニケーションズ（Global system for Mobile communications）（“ＧＳＭ”）のような無線技術を実施することが出来る。ＯＦＤＭＡネットワークは、エボルブド（Evolved）ＵＴＲＡ（“Ｅ−ＵＴＲＡ”）、ＩＥＥＥ８０２．１１、ＩＥＥＥ８０２．１６、ＩＥＥＥ８０２．２０、フラッシュ（Flash-）ＯＦＤＭ登録商標、等々のような無線技術を実施することが出来る。ＵＴＲＡ、Ｅ−ＵＴＲＡ、及びＧＳＭはユニバーサル・モバイル・テレコミュニケーション・システム（Universal Mobile Telecommunication System）（“ＵＭＴＳ”）の一部である。本明細書における諸教示は、３ＧＰＰロング・ターム・エボリューション（“ＬＴＥ”）システム、ウルトラ・モバイル・ブロードバンド（Ultra Mobile Broadband）（“ＵＭＢ”）システム、及び他の型のシステムにおいて実施されることが出来る。ＬＴＥはＥ−ＵＴＲＡを使用するＵＭＴＳの一リリースである。本開示のある複数の態様は３ＧＰＰの用語を使用して説明されることが出来るけれども、本明細書における諸教示は３ＧＰＰ（Ｒｅｌ９９、Ｒｅｌ５、Ｒｅｌ６、Ｒｅｌ７）技術、並びに、３ＧＰＰ２（１ｘＲＴＴ、１ｘＥＶ−ＤＯ  Ｒｅｌ０、ＲｅｖＡ、ＲｅｖＢ）技術および他の技術に対して適用されることが出来る、ということが理解されるべきである。
【００６７】
本明細書における諸教示は種々の設備（例えば、ノード）に組み込まれる（例えば、該設備の内部で実施される又は該設備によって実行される）ことが出来る。ある複数の態様では、本明細書における諸教示に従って実施されるノード（例えば、無線ノード）はアクセス・ポイント又はアクセス端末を含むことが出来る。
【００６８】
例えば、アクセス端末は、利用者装置、加入者局、加入者ユニット、モバイル局、モバイル、モバイル・ノード、遠隔端末、利用者端末、利用者エージェント（user agent）、利用者装置、或いは何か他の用語、を含む、それ等として実施される、或いはそれ等として知られることが出来る。ある複数の実施において、アクセス端末は、セルラ電話、コードレス電話、セッション・イニシエイション・プロトコル（Session Initiation Protocol）（“ＳＩＰ”）電話、無線ローカル・ループ（wireless local loop）（“ＷＬＬ”）局、携帯情報端末（personal digital assistant）（“ＰＤＡ”）、無線接続能力を有するハンドヘルド装置、或いは、無線モデムに接続される何か他の適切な処理装置、を含むことが出来る。従って、本明細書中で教示される１又は複数の態様は、電話（例えば、セルラ電話またはスマート・フォン）、コンピュータ（例えば、ラップトップ）、携帯通信装置、携帯計算装置（例えば、個人情報端末（personal data assistant））、娯楽装置（例えば、音楽装置、ビデオ装置、或いは衛星ラジオ）、全地球測位システム装置、或いは、無線媒体を介して通信するために構成される他の任意の適切な装置、中に組み込まれることが出来る。
【００６９】
アクセス・ポイントは、ノードＢ、ｅノードＢ、無線ネットワーク制御装置（radio network controller）（“ＲＮＣ”）、基地局（“ＢＳ”）、無線基地局（“ＲＢＳ”）、基地局制御装置（“ＢＳＣ”）、ベース・トランシーバ・ステーション（base transceiver station）（“ＢＴＳ”）、トランシーバ・ファンクション（transceiver function）（“ＴＦ”）、無線トランシーバ、無線ルータ、基本サービス・セット（basic service set）（“ＢＳＳ”）、拡張サービス・セット（extended service set）（“ＥＳＳ”）、又は何か他の同様な用語、を含むこと、それ等として実施されること、或いはそれ等として知られることが出来る。
【００７０】
ある複数の態様では、ノード（例えば、アクセス・ポイント）は通信システムに対するアクセス・ノードを含むことが出来る。このようなアクセス・ノードは、例えば、ネットワーク（例えば、インターネットのような広域ネットワーク又はセルラ・ネットワーク）のための或いはネットワークへの接続を、該ネットワークへの有線または無線の通信回線を介して、提供することが出来る。従って、アクセス・ノードは別のノード（例えば、アクセス端末）があるネットワーク又は何か他の機能に接続することを可能にすることが出来る。更に、該ノードの内の一方又は両者とも携帯可能、或いは、ある複数の場合には、相対的に非携帯的であることが出来る、ということが認識されるべきである。
【００７１】
又、無線ノードは情報を非無線方式で（例えば、有線接続を介して）送信及び／又は受信することが出来る、ということが認識されるべきである。従って、本明細書記載の受信機と送信機は、非無線媒体を介して通信するための適切な通信インターフェース・コンポーネント（例えば、電気的または光学的インターフェース・コンポーネント）を含むことが出来る。
【００７２】
無線ノードは、任意の適切な無線通信技術に基づいている、さもなければ、該技術をサポートする１又は複数の無線通信回線を介して通信することが出来る。例えば、ある複数の態様では、無線ノードはネットワークと連携することが出来る。ある複数の態様では、該ネットワークはローカル・エリア・ネットワーク又は広域通信網を含むことが出来る。無線装置は、本明細書中で議論される諸技術（例えば、ＣＤＭＡ、ＴＤＭＡ、ＯＦＤＭ、ＯＦＤＭＡ、ＷｉＭＡＸ、Ｗｉ−Ｆｉ、等々）のような種々の無線通信技術、プロトコル、或いは規格のうちの１又は複数を、サポートする、さもなければ、利用することが出来る。同様に、無線ノードは種々の対応する変調又は多重化方式のうちの１又は複数を、サポートする、さもなければ、利用することが出来る。従って、無線ノードは、上述の又は他の無線通信技術を利用し、１又は複数の無線通信回線を確立しそして該回線を介して通信するために、適切なコンポーネント（例えば、無線インターフェース）を含むことが出来る。例えば、無線ノードは、無線媒体を介する通信を容易にする種々のコンポーネント（例えば、信号発生器と信号プロセッサ）を含むことが出来る、関連する送信機コンポーネントと受信機コンポーネントを備える無線トランシーバを具備することが出来る。
【００７３】
ある複数の実施において、ノード（例えば、フェムト・ノード）は何らかの形で限定されることが出来る。例えば、所与のフェムト・ノードは一定の諸アクセス端末に一定の諸サービスを提供するためにのみ構成されることが出来る。いわゆる限定された（即ち、閉じられた）アソシエーション（association）を持つ配置においては、所与のアクセス端末は、マクロ・セル・モバイル・ネットワークと特定された集合のフェムト・ノード（例えば、図４で示されるような対応する利用者住居４３０内に常駐するフェムト・ノード４１０）によってのみサービスを受けることが出来る。例えば、図４ではそれぞれのフェムト・ノード４１０は関連付けられたアクセス端末４２０（例えば、アクセス端末４２０Ａ）と、オプションで、ゲスト（guest）アクセス端末４２０（例えば、アクセス端末４２０Ｂ）に対してサービスするために構成されることが出来る。換言すれば、フェムト・ノード４１０への接続は限定されることが出来て、それによって、所与のアクセス端末４２０は指定された（例えば、ホーム）（諸）フェムト・ノード４１０の集合によってサービスを受けることが出来るが、しかし何れの非指定フェムト・ノード４１０（例えば、隣のフェムト・ノード４１０）によってもサービスを受けることは出来ない。
【００７４】
ある複数の態様では、限定されたフェムト・ノード（それはクローズド加入者グループ・ホーム・ノードＢと呼ばれることもある）は、限定的に設定された集合のアクセス端末にサービスを提供する、ノードである。この集合は必要に応じて一時的にまたは恒久的に拡張されることが出来る。ある複数の態様では、クローズド加入者グループ（Closed Subscriber Group）（“ＣＳＧ”）は、諸アクセス端末の共通の接続制御リストを共有する、諸アクセス・ポイント（例えば、フェムト・ノード）の集合として定義されることが出来る。ある複数の実施において、ノードは、シグナリング、データ接続、登録、ページング、又はサービスの内の少なくとも１つを、少なくとも１つのノードに対して、提供しないように限定されることが出来る。
【００７５】
所与のフェムト・ノードと所与のアクセス端末との間には、従って、種々の関係が存在し得る。例えば、アクセス端末の視点からは、オープン・フェムト・ノードはオープン・アソシエーションを持つフェムト・ノードを指すことが出来る（例えば、該フェムト・ノードは任意のアクセス端末に接続を許す）。限定されたフェムト・ノードは何らかの方法で限定される（例えば、アソシエーション及び／又は登録に対して限定される）フェムト・ノードを指すことが出来る。ホーム・フェムト・ノードは、該アクセス端末がそこに接続して動作することを認可される、フェムト・ノードを指すことが出来る（例えば、恒久的接続が１又は複数のアクセス端末の特定された集合に対して提供される）。ゲスト・フェムト・ノードは、該アクセス端末がそこに接続して動作することを一時的に認可される、フェムト・ノードを指すことが出来る。エイリアン（alien）・フェムト・ノードは、該アクセス端末が、恐らく非常の場合（例えば、９１１電話）を除いて、そこに接続して動作することを認可されない、フェムト・ノードを指すことが出来る。
【００７６】
限定されたフェムト・ノードの視点から見ると、ホーム・アクセス端末は、該限定されたフェムト・ノードに接続することを認可されているアクセス端末を指すことが出来る（例えば、該アクセス端末は該フェムト・ノードへの恒久的接続権を有する）。ゲスト・アクセス端末は、該限定されたフェムト・ノードへの一時的（例えば、期限、使用時間、バイト、接続回数、又は何か他の基準に基づいて制限される）接続権を持つアクセス端末を指すことが出来る。エイリアン・アクセス端末は、例えば、９１１電話のような恐らく非常の場合を除いて、該限定されたフェムト・ノードに接続する許可を有してないアクセス端末（例えば、該限定されたフェムト・ノードに登録する資格または許可を有してないアクセス端末）を指すことが出来る。
【００７７】
本明細書中で説明される諸コンポーネントは種々の方法で実装されることが出来る。図９を参照して、装置９００は一連の相互に関係づけられた機能ブロックとして表わされる。ある複数の態様では、これ等のブロックの機能性は、１又は複数のプロセッサ・コンポーネントを含む処理システムとして、実装されることが出来る。ある複数の態様では、これ等のブロックの機能性は、例えば、１又は複数の集積回路（例えば、ＡＳＩＣ）の少なくとも一部を利用して、実装されることが出来る。本明細書中で説明されるように、集積回路は、プロセッサ、ソフトウェア、他の関連するコンポーネント、又はそれ等の何らかの組合せ、を含むことが出来る。これ等のブロックの機能性は又、本明細書中で教示される何か他の方法で、実現されることが出来る。ある複数の態様では、図９中の１又は複数の破線のブロックはオプションである。
【００７８】
装置９００は、種々の図面に関して上記で説明された１又は複数の機能を実行することが出来る、１又は複数のモジュールを含むことが出来る。例えば、距離決定手段９０２は本明細書で議論された、例えば、距離決定器に対応することが出来る。探索ウィンドウ範囲設定手段９０４は本明細書で議論された、例えば、探索ウィンドウ範囲設定器に対応することが出来る。探索手段９０６は本明細書で議論された、例えば、受信機に対応することが出来る。タイミング入手手段９０８は本明細書で議論された、例えば、タイミング制御器に対応することが出来る。所在地決定手手段９１０は本明細書で議論された、例えば、所在地決定器に対応することが出来る。探索開始決定手段９１２は本明細書で議論された、例えば、探索制御器に対応することが出来る。
【００７９】
“第１”、“第２”等々のような指定を使用する本明細書中でのある構成要素への任意の参照は、一般的に、それ等の諸構成要素の量または順番を限定しない。むしろ、これ等の指定は、２以上の構成要素または１つの構成要素の複数の実例を区別する便利な方法として、本明細書中で使用されると言える。従って、第１および第２の構成要素への参照は、２つの構成要素のみがそこで利用されることが出来るということを意味しないし、或いは、第１の構成要素がある意味で第２の構成要素より上位にあるということを意味しない。又、別に述べられない限り、構成要素の集合は１又は複数の構成要素を具備することが出来る。更に、説明または請求項で使用される“Ａ、Ｂ、又はＣの内の少なくとも１つ”という形の用語は“Ａ又はＢ又はＣ又はこれ等の構成要素の任意の組合せ”を意味する。
【００８０】
当業者等は情報と信号は任意の種々の異なる科学技術と専門技術を使用して表されることが出来ることを理解する。例えば、上述の説明全体に亘って参照されることが出来る、データ、指示、命令、情報、信号、ビット、シンボル、及び、チップは、電圧、電流、電磁波、磁場又は磁性粒子、光学的場又は光学粒子、或はこれ等の任意の組合せ、により表すことが可能である。
【００８１】
当業者等は更に、本明細書中で開示される諸態様と関連して説明された、種々の例示的な論理ブロック、モジュール、プロセッサ、手段、回路、およびアルゴリズム・ステップの何れも、エレクトロニック・ハードウェア（例えば、ソース・コーディング（source coding）又は何か他の技術を使用して設計されることが出来る、デジタル実装、アナログ実装、又は両者の組合せ）、諸命令を包含する種々の形式のプログラム・コード又は設計コード（これは本明細書中では、便宜上、“ソフトウェア”又は“ソフトウェア・モジュール”と呼ばれることがある）、或は両者の組合せとして、実装されることが可能であること、を認識する。ハードウェアとソフトウェアのこの交換可能性を明確に例示するために、種々の例示的なコンポーネント、ブロック、モジュール、回路、及びステップが上述において一般にそれ等の機能性を表す用語で説明された。このような機能性がハードウェアとして実現されるか或はソフトウェアとして実現されるかは、システム全体に課される特別な応用上及び設計上の制約に依存する。当業者等は説明された機能性をそれぞれ特別な応用に対して種々の方法で実装することが出来る、しかし、そのような実装上の解決は本開示の範囲からの逸脱をもたらすので、説明されるべきではない。
【００８２】
本明細書中で開示された諸態様に関連して説明された、種々の例示的な論理ブロック、モジュール、及び回路は、集積回路（“ＩＣ”）、アクセス端末、又はアクセス・ポイントの内部に実装される、或いは、それらによって実行されることが出来る。該ＩＣは、汎用プロセッサ、デジタル信号処理装置（digital signal processor）（ＤＳＰ）、特定用途向け集積回路（application specific integrated circuit）（ＡＳＩＣ）、フィールド・プログラマブル・ゲート・アレイ（field programmable gate array）（ＦＰＧＡ）或は他のプログラム可能な論理デバイス、ディスクリート・ゲート（discrete gate）或はトランジスタ・ロジック（transistor logic）、ディスクリート・ハードウェア・コンポーネント、電気的コンポーネント、光学的コンポーネント、器械的コンポーネント、或は本明細書に記載された諸機能を実行するために設計されたそれ等の任意の組合せ、を含むことが出来て、該ＩＣ内部に、該ＩＣ外部に、又は両者に常駐するコード又は命令を実行することが出来る。汎用プロセッサはマイクロプロセッサであって良い、しかし、その代わりに、該プロセッサは任意の通常のプロセッサ、制御器、マイクロ制御器、或はステート・マシン（state machine）であって良い。プロセッサは計算する装置の組合せ、例えば、ＤＳＰとマイクロプロセッサの組合せ、複数のマイクロプロセッサ、ＤＳＰコアと結合された１又は複数のマイクロプロセッサ、或は任意の他のこのような構成、として実現されることも可能である。
【００８３】
開示された何れのプロセスにおける何れの特定の順序または階層も見本的手法の一例であるということが理解される。設計上の嗜好に基づいて、諸プロセスにおける特定の順序または階層が、本開示の範囲内に留まったまま、再配列可能であることが理解される。付帯の方法クレームは見本的順序中の種々のステップの諸構成要素を提示し、そして、提示された特定の順序または階層に限定されることを意図されない。
【００８４】
説明された諸機能は、ハードウェア、ソフトウェア、ファームウェア、又はこれらの任意の組み合わせにおいて実施され得る。ソフトウェアで実施される場合には、該諸機能はコンピュータ可読媒体上の１又は複数の命令またはコードとして記憶または伝達されることが出来る。コンピュータ可読媒体は、コンピュータ記憶媒体と、１つの場所から別の場所へのコンピュータ・プログラムの伝送を支援する任意の媒体を含む通信媒体、双方を含む。記憶媒体はコンピュータによって接続されることが出来る任意の利用可能な媒体であることが出来る。限定としてではなく例として、そのようなコンピュータ可読媒体は、ＲＡＭ、ＲＯＭ、ＥＥＰＲＯＭ、ＣＤ−ＲＯＭ或いは他の光学ディスク記憶装置、磁気的ディスク記憶装置または他の磁気的記憶装置、又は、所望の諸命令の形式のプログラム・コード又はデータ構造を搬送又は記憶するために使用されることが出来る、そして、コンピュータによってアクセスされることが出来る、任意の他の媒体、を含むことが出来る。また、任意の接続は適切にコンピュータ可読媒体と呼ばれる。例えば、ソフトウェアが、ウェブサイト、サーバ、或いは、同軸ケーブル、光ファイバ・ケーブル、ツイスト・ペア（twisted pair）、デジタル加入者線（digital subscriber line）（“ＤＳＬ”）、又は、赤外線、無線およびマイクロ波のような無線技術を使用する他の遠隔情報源、から伝送される場合、同軸ケーブル、光ファイバ・ケーブル、ツイスト・ペア、ＤＳＬ、又は、赤外線、無線およびマイクロ波のような無線技術は、媒体の定義中に含まれる。本明細書中で使用される、ディスク（ｄｉｓｋ及びｄｉｓｃ）は、コンパクト・ディスク（ＣＤ）、レーザ・ディスク、光学ディスク、デジタル多用途ディスク（digital versatile disc）（ＤＶＤ）、フロッピー（登録商標）・ディスク及びブルーレイ・ディスクを含み、ここにｄｉｓｋは通常データを磁気的に再製するが、他方、ｄｉｓｃはデータをレーザを用いて光学的に再製する。上記の組合せも又コンピュータ可読媒体の範囲に含まれるべきである。まとめると、コンピュータ可読媒体は任意の適切なコンピュータ・プログラム製品において実装されることが出来る、ということが認識されるべきである。
【００８５】
開示された諸態様の前述の説明は、当業者の誰もが本開示を作る又は利用することを可能にするために提供される。これ等の諸態様への様々な変更は、当業者等には容易に明らかであり、そして本明細書中で明確にされた包括的な諸原理は、本開示の範囲を逸脱することなく他の諸態様に適用されることが可能である。かくして、本開示は、本明細書中で示される諸態様に限定されることを意図されるのではなく、本明細書中に開示された原理及び新規性と首尾一貫する最も広い範囲を認容されるべきである。
【図１】
2011504681.tif 000003
【図２】
2011504681.tif 000004
【図３】
2011504681.tif 000005
【図４】
2011504681.tif 000006
【図５】
2011504681.tif 000007
【図６】
2011504681.tif 000008
【図７】
2011504681.tif 000009
【図８】
2011504681.tif 000010
【図９】
2011504681.tif 000011
【国際調査報告】
2011504681.tif 000012
2011504681.tif 000013